(57)【要約】【課題】簡単な作業で確実な固定を実現できる箱体固定構造を提供すること。【解決手段】ブラケット３０は、ブラケット側第１係合部３２と、ブラケット側第２係合部３３と、を備える。箱体１０は、ブラケット側第１係合部３２と係合方向に係合する箱体側第１係合部１４と、前述の係合方向にブラケット側第２係合部３３と係合する箱体側第２係合部１５と、を備える。ブラケット側第１係合部３２と箱体側第１係合部１４とが係合した位置と、ブラケット側第２係合部３３と箱体側第２係合部１５とが係合した位置とは、縦方向に上下にずれるとともに横方向に左右にずれて段差状になっている。前述の係合方向は、上述の縦方向および上述の横方向に直交する奥行方向において箱体１０からブラケット３０に向う方向である。【選択図】図１
2007104815.tif 000002
【特許請求の範囲】
【請求項１】
箱体をブラケットに固定するための箱体固定構造であって、
前記ブラケットが、ブラケット側第１係合部と、ブラケット側第２係合部と、を備え、
前記箱体が、前記ブラケット側第１係合部と係合方向に係合する箱体側第１係合部と、前記係合方向に前記ブラケット側第２係合部と係合する箱体側第２係合部と、を備え、
前記ブラケット側第１係合部と前記箱体側第１係合部とが係合した位置と、前記ブラケット側第２係合部と前記箱体側第２係合部とが係合した位置とが、縦方向に上下にずれるとともに横方向に左右にずれて段差状になっており、そして
前記係合方向が、前記縦方向および前記横方向に交差する奥行方向において前記箱体から前記ブラケットに向う方向であることを特徴とする箱体固定構造。
【請求項２】
前記箱体側第１係合部は、ねじ軸部挿入孔が前記縦方向に貫通する板部を有し、
前記ねじ軸部挿入孔が、ねじ軸部係合孔と、該ねじ軸部係合孔に連通し且つ前記板部の先端縁で開口するねじ軸部進入口と、からなり、
前記ブラケット側第１係合部が、前記縦方向において上方に突出し、且つ前記箱体の前記係合方向の移動に伴ない前記ねじ軸部進入口から前記ねじ軸部係合孔に挿入されるねじ軸部を有し、
前記箱体側第２係合部が、前記係合方向に開口するスライド案内孔と、該スライド案内孔内に突出し且つ前記係合方向に延設されたガイド突条と、を有し、
前記ブラケット側第２係合部が、前記箱体の前記係合方向の移動に伴ない前記ガイド突条を受け入れるガイド突条案内係合孔を有し、
前記ブラケット側第２係合部が、前記ガイド突条案内係合孔への前記ガイド突条の挿入による案内に従って前記スライド案内孔に差し込まれ、そして
前記ねじ軸部が前記ねじ軸部係合孔に係合されるとともに前記スライド案内孔に前記ブラケット側第２係合部が差し込まれて係合された後、前記ねじ軸部にナットが螺合して締め付けられることにより前記箱体が前記ブラケットに固定されることを特徴とする請求項１に記載した箱体固定構造。
【請求項３】
前記箱体側第１係合部の前記板部が、前記ねじ軸部係合孔への前記ねじ軸部の入り口の幅を狭くするように前記ねじ軸部挿入孔内に突出する抜け止め突起を有することを特徴とする請求項２に記載した箱体固定構造。
【請求項４】
前記箱体側第１係合部および前記箱体側第２係合部は、該箱体側第２係合部の前記スライド案内孔に前記ブラケットの前記ブラケット側第２係合部が非挿入である際に、前記箱体側第１係合部の前記ねじ軸部挿入孔に前記ブラケットの前記ねじ軸部が非挿入となるように配置されていることを特徴とする請求項２または請求項３に記載した箱体固定構造。
【請求項５】
係合した前記ブラケット側第１係合部および前記箱体側第１係合部が、係合した前記ブラケット側第２係合部および前記箱体側第２係合部よりも上に配置されているとともに、
前記ねじ軸部が前記ねじ軸部係合孔を通って前記箱体側第１係合部の前記板部から上方に突出しており、そして
前記板部から上方に突出した前記ねじ軸部に前記ナットが螺合して締め付けられることにより前記ブラケット側第１係合部が前記板部に固定されることを特徴とする請求項２〜請求項４のいずれか一項に記載した箱体固定構造。
【発明の詳細な説明】
【技術分野】
【０００１】
本発明は、例えば自動車等といった車両に用いられ且つ例えばリレー、ヒューズ、等の電気部品を収容するリレー・ボックス、ヒューズ・ボックス、等といった電気接続箱（即ち、エレクトリック・ジャンクション・ブロック）のような箱体に係り、特に、そのような電気部品収納用の箱体を例えば車両の車体パネル等といった被取付体のブラケットに固定するための箱体固定構造に関する。
【背景技術】
【０００２】
従来の箱体固定構造の一例として、箱体の係止ピンを車体パネルの係止孔に差し込み、箱体の板部を車体パネルのブラケットにボルトとナットにより固定するようにしたものが知られている（例えば、特許文献１参照）。この箱体固定構造を図１２（ａ）および図１２（ｂ）を参照しながら説明する。
【０００３】
図１２（ａ）および図１２（ｂ）に示されるように、この箱体固定構造では、係止ピン１０１が箱体１０２の上方に突出形成されており、貫通孔１０３を有する板部１０４が箱体１０２の下方に突出形成されている。
【０００４】
箱体１０２を固定するには、係止ピン１０１を車体パネル１５１の係止孔１５２に下方から差し込みながら、車体パネル１５１のブラケット１５３に横方向に突出固定されているボルト１５４を板部１０４の貫通孔１０３に通し、ボルト１５４にナット１５５を螺合させ、締め付けるようにしている。
【０００５】
図１２（ａ）および図１２（ｂ）に示される箱体固定構造においては、係止ピン１０１を車体パネル１５１の係止孔１５２に下方から差し込みながら、ブラケット１５３のボルト１５４を板部１０４の貫通孔１０３に通すため、箱体１０２を上方へ向けて動かす動作と、箱体１０２を横方向へ動かす動作とが必要である。よって、箱体１０２を車体パネル１５１に組み付けるための主な動作方向が、交差する２つの方向にあり、作業性があまり良好とは言えない。
【０００６】
【特許文献１】特開平０７−０３９０４２号公報
【発明の開示】
【発明が解決しようとする課題】
【０００７】
本発明は、上述した事情に鑑みてなされたものであり、その目的は、簡単な作業で確実な固定を実現できる箱体固定構造を提供することにある。
【課題を解決するための手段】
【０００８】
前述した目的を達成するため、本発明に係る箱体固定構造は、下記（１）〜（５）を特徴としている。
（１）  箱体をブラケットに固定するための箱体固定構造であって、
前記ブラケットが、ブラケット側第１係合部と、ブラケット側第２係合部と、を備え、
前記箱体が、前記ブラケット側第１係合部と係合方向に係合する箱体側第１係合部と、前記係合方向に前記ブラケット側第２係合部と係合する箱体側第２係合部と、を備え、
前記ブラケット側第１係合部と前記箱体側第１係合部とが係合した位置と、前記ブラケット側第２係合部と前記箱体側第２係合部とが係合した位置とが、縦方向に上下にずれるとともに横方向に左右にずれて段差状になっており、そして
前記係合方向が、前記縦方向および前記横方向に交差する奥行方向において前記箱体から前記ブラケットに向う方向であること。
（２）  上記（１）の構成の箱体固定構造において、
前記箱体側第１係合部は、ねじ軸部挿入孔が前記縦方向に貫通する板部を有し、
前記ねじ軸部挿入孔が、ねじ軸部係合孔と、該ねじ軸部係合孔に連通し且つ前記板部の先端縁で開口するねじ軸部進入口と、からなり、
前記ブラケット側第１係合部が、前記縦方向において上方に突出し、且つ前記箱体の前記係合方向の移動に伴ない前記ねじ軸部進入口から前記ねじ軸部係合孔に挿入されるねじ軸部を有し、
前記箱体側第２係合部が、前記係合方向に開口するスライド案内孔と、該スライド案内孔内に突出し且つ前記係合方向に延設されたガイド突条と、を有し、
前記ブラケット側第２係合部が、前記箱体の前記係合方向の移動に伴ない前記ガイド突条を受け入れるガイド突条案内係合孔を有し、
前記ブラケット側第２係合部が、前記ガイド突条案内係合孔への前記ガイド突条の挿入による案内に従って前記スライド案内孔に差し込まれ、そして
前記ねじ軸部が前記ねじ軸部係合孔に係合されるとともに前記スライド案内孔に前記ブラケット側第２係合部が差し込まれて係合された後、前記ねじ軸部にナットが螺合して締め付けられることにより前記箱体が前記ブラケットに固定されること。
（３）  上記（２）の構成の箱体固定構造において、
前記箱体側第１係合部の前記板部が、前記ねじ軸部係合孔への前記ねじ軸部の入り口の幅を狭くするように前記ねじ軸部挿入孔内に突出する抜け止め突起を有すること。
（４）  上記（２）または（３）の構成の箱体固定構造において、
前記箱体側第１係合部および前記箱体側第２係合部は、該箱体側第２係合部の前記スライド案内孔に前記ブラケットの前記ブラケット側第２係合部が非挿入である際に、前記箱体側第１係合部の前記ねじ軸部挿入孔に前記ブラケットの前記ねじ軸部が非挿入となるように配置されていること。
（５）  上記（２）〜（４）のいずれかの構成の箱体固定構造において、
係合した前記ブラケット側第１係合部および前記箱体側第１係合部が、係合した前記ブラケット側第２係合部および前記箱体側第２係合部よりも上に配置されているとともに、
前記ねじ軸部が前記ねじ軸部係合孔を通って前記箱体側第１係合部の前記板部から上方に突出しており、そして
前記板部から上方に突出した前記ねじ軸部に前記ナットが螺合して締め付けられることにより前記ブラケット側第１係合部が前記板部に固定されること。
【０００９】
上記（１）の構成の箱体固定構造では、ブラケットが、ブラケット側第１係合部と、ブラケット側第２係合部と、を備え、箱体が、ブラケット側第１係合部と係合方向に係合する箱体側第１係合部と、前述した係合方向にブラケット側第２係合部と係合する箱体側第２係合部と、を備え、そしてブラケット側第１係合部と箱体側第１係合部とが係合した位置と、ブラケット側第２係合部と箱体側第２係合部とが係合した位置とが、縦方向に上下にずれるとともに横方向に左右にずれて段差状になっており、箱体が、上下左右にずれた２箇所でブラケットにより支持され、これにより縦方向と横方向の動きを抑制されるので、ブラケットによる箱体の確実な固定を実現することができるとともに、箱体が単一の係合方向にブラケットに組み付けられるので、作業性が良好である。また、上記（１）の構成の箱体固定構造では、前述の係合方向が、前述の縦方向および前述の横方向に交差する奥行方向において箱体からブラケットに向う方向であるため、箱体を上から見ながらでもブラケットに取り付け易い。
上記（２）の構成の箱体固定構造では、ねじ軸部がねじ軸部係合孔に係合されたこと、およびガイド突条がガイド突条案内係合孔に係合されたことを目視確認した上で、ねじ軸部にナットを螺合させて締め付ければ、簡単な作業で確実な固定を実現することができる。即ち、箱体を上から見ながらでも、ねじ軸部がねじ軸部係合孔に係合されたこと、およびガイド突条がガイド突条案内係合孔に係合されたことを目視確認できるように構成すると、箱体をブラケットに固定する上で好ましい。
また、上記（３）の構成の箱体固定構造では、箱体側第１係合部の板部が、ねじ軸部係合孔へのねじ軸部の入り口の幅を狭くするようにねじ軸部挿入孔内に突出する抜け止め突起を有し、当該抜け止め突起によって、ねじ軸部係合孔からねじ軸部進入口へのねじ軸部の抜け止めをするので、ねじ軸部にナットを螺合させる前に、箱体のブラケットに対する仮固定状態を作り出すことができ、よって作業性を更に向上させることができる。
また、上記（４）の構成の箱体固定構造では、箱体側第１係合部および箱体側第２係合部は、該箱体側第２係合部のスライド案内孔にブラケットのブラケット側第２係合部が非挿入である際に、箱体側第１係合部のねじ軸部挿入孔にブラケットのねじ軸部が非挿入となるように配置されているので、箱体のブラケットに対する誤組み付けを確実に防止できる。
また、上記（５）の構成の箱体固定構造では、係合したブラケット側第１係合部および箱体側第１係合部が、係合したブラケット側第２係合部および箱体側第２係合部よりも上に配置されているとともに、ねじ軸部がねじ軸部係合孔を通って箱体側第１係合部の板部から上方に突出しており、そして板部から上方に突出したねじ軸部にナットが螺合して締め付けられることによりブラケット側第１係合部が板部に固定される。このように、箱体側第１係合部のねじ軸部係合孔を通って箱体側第１係合部から上方に突出したブラケット側第１係合部のねじ軸部には、ナットを螺合させ易くする作用がある。
【発明の効果】
【００１０】
本発明によれば、簡単な作業で確実な固定を実現できる箱体固定構造を提供することができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図面に基づいて詳細に説明する。
【００１３】
図１は本発明に係る箱体固定構造の一実施形態の分解斜視図、図２は図１に示した箱体固定構造の組付状態での縦断面図、図３は図２の一部破断平面図、図４は図１の箱体固定構造の第１変形例の分解斜視図、図５は図４に示した箱体固定構造の第１変形例の組付状態での縦断面図、図６は図５の一部破断平面図、図７は図１の箱体固定構造の第２変形例の分解斜視図、図８は図７に示した箱体固定構造の第２変形例の誤組付状態での縦断面図、そして図９は図７に示した箱体固定構造の第２変形例の正組付状態での縦断面図である。
【００１４】
図１〜図９に示されるように、本発明に係る箱体固定構造の一実施形態ならびにその変形例は、いずれも、箱体１０をブラケット３０に固定するための箱体固定構造である。
【００１５】
ブラケット３０は、ブラケット側第１係合部３２と、ブラケット側第２係合部３３と、を備える。箱体１０は、ブラケット側第１係合部３２と係合方向に係合する箱体側第１係合部１４と、前述の係合方向にブラケット側第２係合部３３と係合する箱体側第２係合部１５と、を備える。
【００１６】
ブラケット側第１係合部３２と箱体側第１係合部１４とが係合した位置と、ブラケット側第２係合部３３と箱体側第２係合部１５とが係合した位置とは、縦方向に上下にずれるとともに横方向に左右にずれて段差状になっている。
【００１７】
上述の係合方向は、上述の縦方向および上述の横方向に直交する奥行方向において箱体１０からブラケット３０に向う方向である。
【００１８】
箱体側第１係合部１４は、ねじ軸部挿入孔が前述の縦方向に貫通する板部１９を有する。ねじ軸部挿入孔は、ねじ軸部係合孔２０と、該ねじ軸部係合孔２０に連通し且つ板部１９の先端縁で開口するねじ軸部進入口２１と、からなる。
【００１９】
ブラケット側第１係合部３２は、上述の縦方向において上方に突出し、且つ箱体１０の前述の係合方向の移動に伴ないねじ軸部進入口２１からねじ軸部係合孔２０に挿入されるねじ軸部３５を有する。
【００２０】
箱体側第２係合部１５は、上述の係合方向に開口するスライド案内孔２４と、該スライド案内孔２４内に突出し且つ前述の係合方向に延設されたガイド突条２３と、を有する。
【００２１】
ブラケット側第２係合部３３は、箱体１０の前述の係合方向の移動に伴ないガイド突条２３を受け入れるガイド突条案内係合孔３６を有する。
【００２２】
ブラケット側第２係合部３３は、ガイド突条案内係合孔３６へのガイド突条２３の挿入による案内に従ってスライド案内孔２４に差し込まれる。
【００２３】
ねじ軸部３５がねじ軸部係合孔２０に係合されるとともにスライド案内孔２４にブラケット側第２係合部３３が差し込まれて係合された後、ねじ軸部３５にナット３７が螺合して締め付けられることにより箱体１０がブラケット３０に固定される。
【００２４】
尚、ねじ軸部３５にナット３７を螺合させ易くするために、係合したブラケット側第１係合部３２および箱体側第１係合部１４が、係合したブラケット側第２係合部３３および箱体側第２係合部１５よりも上に配置されているとともに、ねじ軸部３５がねじ軸部係合孔２０を通って箱体側第１係合部１４の板部１９から上方に突出している。従って、この板部１９から上方に突出したねじ軸部３５にナット３７が螺合して締め付けられることによりブラケット側第１係合部３２が板部１９に固定される。
【００２５】
このように構成された本発明の箱体固定構造の詳細について以下に説明する。
【００２６】
箱体１０は、合成樹脂製であって、端子を有する電気部品（不図示）が収納される箱体本体１１と、この箱体本体１１の上方開口部１２（図２、図５、図８参照。）を閉塞する蓋１３と、を有する。
【００２７】
箱体本体１１の一側面の上側の中央部に箱体側第１係合部１４が形成されており、そして同じく箱体本体１１の一側面の下側の部分に箱体側第２係合部１５が形成されている。
【００２８】
箱体側第１係合部１４には、ブロック形状にして側方に張り出された第１張出部１６の上端部において、一対の側板１７，１７と、３個の中央リブ１８，１８，１８とによって支持された板部１９が水平方向に突出されており、この板部１９の中央部に、ねじ軸部挿入孔が板部１９の板厚方向に貫通して形成されている。ねじ軸部挿入孔のねじ軸部係合孔２０は、板部１９の先端縁からねじ軸部係合孔２０まで切除したねじ軸部進入口２１によって外部に開放されている。
【００２９】
箱体側第１係合部１４から縦横方向に離れた位置に形成された箱体側第２係合部１５は、第１張出部１６の横方向に隣接して、台形状に形成された第２張出部２２の下端部に、スライド案内孔２４と、このスライド案内孔２４内に突出するガイド突条２３と、を備える。スライド案内孔２４は、ブラケット側第２係合部３３の外形寸法よりもわずかに大きい内形寸法を有する。このように第１張出部１６と第２張出部２２とは箱本体１１の側部で横方向に繋げられている。
【００３０】
ブラケット３０は、合成樹脂製あるいは金属製であって、不図示の車体において垂直に配置されるブラケット本体３１の中央部に、水平方向に突出した支片状のブラケット側第１係合部３２を有するとともに、ブラケット本体３１の下端部に、ブラケット側第１係合部３２から縦横方向に離れた位置にブラケット側第１係合部３２と同様にして水平方向に突出した支片状のブラケット側第２係合部３３を有する。尚、ブラケット本体３１は、車体固定用のボルト孔３４を有する（より詳細には、ブラケット３０がボルト孔３４を介してボルトにより車体に固定される）。
【００３１】
ブラケット側第１係合部３２の中央部には、スタッドボルト状のねじ軸部３５がセレーション加締めにより固定されており、そしてブラケット側第２係合部３３の中央部には、ブラケット側第２係合部３３の先端部で開放されるようにガイド突条案内係合孔３６が貫通して形成されている。
【００３２】
図２に示されるように箱体１０をブラケット３０に固定するに際しては、箱体側第２係合部１５のスライド案内孔２４にブラケット側第２係合部３３を差し込みながら、箱体側第１係合部１４のねじ軸部進入口２１にブラケット側第１係合部３２のねじ軸部３５を進入させ、そして更に、ねじ軸部係合孔２０にねじ軸部３５を進入させる。そして、板部１９上に突出しているねじ軸部３５の部分に座付ナット等のナット３７を螺合させて締め付けることにより、箱体１０の第２張出部２２のスライド案内孔２４を画成するスライド案内孔内上面がブラケット側第２係合部３３の上面に当接し、そして板部１９の下面がブラケット側第１係合部３２の上面に当接した状態で、ねじ軸部３５を介して板部１９がブラケット側第１係合部３２に固定され、これにより箱体１０がブラケット３０に固定される。
【００３３】
図３に示されるように、スライド案内孔２４にブラケット側第２係合部３３が差し込まれていく際に、ガイド突条２３がブラケット側第２係合部３３のガイド突条案内係合孔３６を案内するため、スライド案内孔２４は位置ずれなく挿入されていく。
【００３４】
図４に示されるように、上記箱体固定構造の第１変形例では、箱体側第１係合部１４の板部１９が、ねじ軸部係合孔２０からねじ軸部進入口２１へのねじ軸部３５の抜け止めを目的として、ねじ軸部係合孔２０へのねじ軸部３５の入り口の幅を狭くするようにねじ軸部挿入孔内に突出する一対の抜け止め突起２５，２５を有する。この箱体固定構造の第１変形例における他の部位は、図１〜図３に示される構成と略同様である。
【００３５】
図５に示されるように箱体１０をブラケット３０に固定するに際しては、箱体側第２係合部１５のスライド案内孔２４にブラケット側第２係合部３３を差し込みながら、箱体側第１係合部１４のねじ軸部進入口２１にブラケット側第１係合部３２のねじ軸部３５を進入させる。そして更にねじ軸部係合孔２０にねじ軸部３５を進入させる際に、一対の抜け止め突起２５，２５がねじ軸部３５の進入の邪魔をするので、これらの抜け止め突起２５，２５に抗してねじ軸部３５をねじ軸部係合孔２０側に押し込むことになる。そして、板部１９上に突出しているねじ軸部３５の部分に座付ナット等のナット３７を螺合させて締め付けることにより、箱体１０の第２張出部２２のスライド案内孔２４を画成するスライド案内孔内上面がブラケット側第２係合部３３の上面に当接し、そして板部１９の下面がブラケット側第１係合部３２の上面に当接した状態で、ねじ軸部３５を介して板部１９がブラケット側第１係合部３２に固定され、これにより箱体１０がブラケット３０に固定される。
【００３６】
図６に示されるように、スライド案内孔２４がブラケット３０のブラケット側第２係合部３３の先端部の外形に近似した内形に形成されている。そのため、スライド案内孔２４にブラケット側第２係合部３３が差し込まれた際にスライド案内孔２４の底部２６がブラケット側第２係合部３３に密着し、これにより支持力が増強される。
【００３７】
図７に示されるように、上記箱体固定構造の第２変形例では、箱体側第１係合部１４および箱体側第２係合部１５が、該箱体側第２係合部１５のスライド案内孔２４にブラケット３０のブラケット側第２係合部３３が非挿入である際に、箱体側第１係合部１４のねじ軸部挿入孔にブラケット３０のねじ軸部３５が非挿入となるように配置されている。この箱体固定構造の第１変形例における他の部位は、図４〜図６に示される構成と同様である。
【００３８】
図８に示されるように、第２張出部２２の下面には、スライド案内孔２４の開口部分に向けて斜めに形成された傾斜面２７が形成されている。そして、箱体１０の板部１９の上面からスライド案内孔２４の内下面までが長さＬ１になっており、スライド案内孔２４の内下面から第２張出部２２の下面までが長さＬ２になっているため、板部１９の上面から第２張出部２２の下面までが長さＬ１と長さＬ２の合算長さＬ３になっている。これに対して、ブラケット３０は、ブラケット側第１係合部３２におけるねじ軸部３５の先端部からブラケット側第２係合部３３までが、合算長さＬ３よりもわずかに短い長さＬ４になっている。
【００３９】
そのため、箱体１０をブラケット３０に組み付けるに際し、図８に示されるような状態だと、ねじ軸部３５の先端部が板部１９に到達せずに、係合できない。
【００４０】
図９に示されるように、箱体側第２係合部１５のスライド案内孔２４の位置がブラケット３０のブラケット側第２係合部３３の位置に一致すれば、スライド案内孔２４にブラケット側第２係合部３３を差し込みながら、箱体側第１係合部１４のねじ軸部進入口２１にブラケット側第１係合部３２のねじ軸部３５を進入させることができる。その後の作業は、上述した第１変形例と同様である。
【００４１】
上記構成の箱体固定構造によれば、ブラケット３０が、ブラケット側第１係合部３２と、ブラケット側第２係合部３３と、を備え、箱体１０が、ブラケット側第１係合部３２と上述の係合方向に係合する箱体側第１係合部１４と、上述の係合方向にブラケット側第２係合部３３と係合する箱体側第２係合部１５と、を備え、そしてブラケット側第１係合部３２と箱体側第１係合部１４とが係合した位置と、ブラケット側第２係合部３３と箱体側第２係合部１５とが係合した位置とが、上述の縦方向に上下にずれるとともに上述の横方向に左右にずれて段差状になっており、箱体１０が、上下左右にずれた２箇所でブラケット３０により支持され、これにより上述の縦方向と上述の横方向の動きを抑制されるので、ブラケット３０による箱体１０の確実な固定を実現することができるとともに、箱体１０が単一の係合方向にブラケット３０に組み付けられるので、作業性が良好である。また、上記構成の箱体固定構造によれば、上述の係合方向が、上述の縦方向および上述の横方向に直交する奥行方向において箱体１０からブラケット３０に向う方向であるため、箱体１０を上から見ながらでもブラケット３０に取り付け易い。
【００４２】
また、上記構成の箱体固定構造によれば、ねじ軸部３５にナット３７を螺合させ易くするために、係合したブラケット側第１係合部３２および箱体側第１係合部１４が、係合したブラケット側第２係合部３３および箱体側第２係合部１５よりも上に配置されているとともに、ねじ軸部３５がねじ軸部係合孔２０を通って箱体側第１係合部１４の板部１９から上方に突出しており、そして板部１９から上方に突出したねじ軸部３５にナット３７が螺合して締め付けられることによりブラケット側第１係合部３２が板部１９に固定される。このように、箱体側第１係合部１４のねじ軸部係合孔２０を通って箱体側第１係合部１４から上方に突出したブラケット側第１係合部３２のねじ軸部３５には、ナット３７を螺合させ易くする作用がある。
【００４３】
また、上記構成の箱体固定構造によれば、ねじ軸部３５がねじ軸部係合孔２０に係合されたこと、およびガイド突条２３がガイド突条案内係合孔３６に係合されたことを目視確認した上で、ねじ軸部３５にナット３７を螺合させて締め付ければ、簡単な作業で確実な固定を実現することができる。即ち、箱体１０を上から見ながらでも、ねじ軸部３５がねじ軸部係合孔２０に係合されたこと、およびガイド突条２３がガイド突条案内係合孔３６に係合されたことを目視確認できるように構成すると、箱体１０をブラケット３０に固定する上で好ましい。
【００４４】
また、上記構成の箱体固定構造の第１変形例ならびに第２変形例によれば、箱体側第１係合部１４の板部１９が、ねじ軸部係合孔２０からねじ軸部進入口２１へのねじ軸部３５の抜け止めを目的として、ねじ軸部係合孔２０へのねじ軸部３５の入り口の幅を狭くするようにねじ軸部挿入孔内に突出する抜け止め突起２５，２５を有するので、ねじ軸部３５にナット３７を螺合させる前に、箱体１０のブラケット３０に対する仮固定状態を作り出すことができ、よって作業性を更に向上させることができる。
【００４５】
また、上記構成の箱体固定構造の第２変形例によれば、箱体側第１係合部１４および箱体側第２係合部１５は、該箱体側第２係合部１５のスライド案内孔２４にブラケット３０のブラケット側第２係合部３３が非挿入である際に、箱体側第１係合部１４のねじ軸部挿入孔にブラケット３０のねじ軸部３５が非挿入となるように配置されているので、箱体１０のブラケット３０に対する誤組み付けを確実に防止できる。
【００４６】
さて、ここで、本発明の更なる優位性を説明するため、図１０および図１１に参考例を示す。
【００４７】
図１０に示される参考例では、箱体４０に板部４１が突出形成され、この板部４１にねじ軸部係合孔４２が貫通して形成されている。そして、ブラケット６０に支片６１が突出形成されており、この支片６１の上面にねじ軸部６２が突出形成されている。
【００４８】
この箱体固定構造では、図１１に示されるように、箱体４０の板部４１のねじ軸部係合孔４２にブラケット６０のねじ軸部６２を差し込んだ後、ナット６３をねじ軸部６２に螺合させて締め付けることにより、板部４１がブラケット６０の支片６１に当接した状態で、箱体４０がブラケット６０に固定される。
【００４９】
しかし、このような箱体固定構造では、箱体４０がブラケット６０に対して、板部４１が片持ち状に支持される１箇所のみで固定されるため、縦方向（即ち、上下）と横方向（即ち、左右）の応力に弱く、そしてそれ故、ブラケット６０に対する箱体４０のガタツキや位置ずれが生じ、強固な箱体固定構造を実現することが難しい。
【００５０】
これに対して、図１〜図９に示されるような本発明の箱体固定構造は、上述したとおり、簡単な作業で強固な固定を実現できる。
【００５１】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００５２】
例えば、抜け止め突起は一対に限らず、一つであってもよい。
【図面の簡単な説明】
【００５３】
【図１】本発明に係る箱体固定構造の一実施形態の分解斜視図である。
【図２】図１に示した箱体固定構造の組付状態での縦断面図である。
【図３】図２の一部破断平面図である。
【図４】図１の箱体固定構造の第１変形例の分解斜視図である。
【図５】図４に示した箱体固定構造の第１変形例の組付状態での縦断面図である。
【図６】図５の一部破断平面図である。
【図７】図１の箱体固定構造の第２変形例の分解斜視図である。
【図８】図７に示した箱体固定構造の第２変形例の誤組付状態での縦断面図である。
【図９】図７に示した箱体固定構造の第２変形例の正組付状態での縦断面図である。
【図１０】箱体固定構造の参考例の分解斜視図である。
【図１１】図１０に示した箱体固定構造の参考例の組付状態での縦断面図である。
【図１２】（ａ）および（ｂ）はそれぞれ従来の箱体固定構造の一部破断正面図である。
【符号の説明】
【００５４】
１０  箱体
１４  箱体側第１係合部
１５  箱体側第２係合部
１９  板部
２０  ねじ軸部係合孔
２１  ねじ軸部進入口
２３  ガイド突条
２４  スライド案内孔
２５  抜け止め突起
３０  ブラケット
３２  ブラケット側第１係合部
３３  ブラケット側第２係合部
３５  ねじ軸部（ブラケット側第１係合部）
３６  ガイド突条案内係合孔（ブラケット側第２係合部）
３７  ナット
【図１】
2007104815.tif 000003
【図２】
2007104815.tif 000004
【図３】
2007104815.tif 000005
【図４】
2007104815.tif 000006
【図５】
2007104815.tif 000007
【図６】
2007104815.tif 000008
【図７】
2007104815.tif 000009
【図８】
2007104815.tif 000010
【図９】
2007104815.tif 000011
【図１０】
2007104815.tif 000012
【図１１】
2007104815.tif 000013
【図１２】
2007104815.tif 000014